(57)【要約】      （修正有）【課題】組み付けを容易且つ確実に行い得るタンクの取付構造を提供する。【解決手段】リザーブタンクの取付構造Ｘは、当該リザーブタンクの構成及びシュラウドの筒状部の構成を利用して実現してなる。具体的には本実施形態に係るタンクの取付構造Ｘは、当該タンクと取付対象たるシュラウドとの間で係り合った際に所定方向の回転動作のみを許容する第一の係合部Ｘ１と、この第一の係合部Ｘ１の係り合いによる回転軌跡上に設けられ互いに凹凸係合により係り合う第二の係合部Ｘ２とを有し、この第二の係合部Ｘ２に、前記凹凸係合を案内するために前記回転軌跡に沿う方向に形成された案内面４９ｃ、６２ｂを設けたことを特徴とする。【選択図】図１０
2014070539.tif 000002
【特許請求の範囲】
【請求項１】
ラジエータ近傍に設けられた取付対象に冷却水用のリザーブタンクを取り付けるためのタンクの取付構造であって、
当該タンクと取付対象との間で係り合った際に所定方向の回転動作のみを許容する第一の係合部と、
この第一の係合部の係り合いによる回転軌跡上に設けられ互いに凹凸係合により係り合う第二の係合部とを有し、
この第二の係合部に、前記凹凸係合を案内するために前記回転軌跡に沿う方向に形成された案内面を設けたことを特徴とするラジエータにおけるタンクの取付構造。
【発明の詳細な説明】
【技術分野】
【０００１】
本発明は、ラジエータに対し冷却水用のタンクを取り付ける構造に関するものである。
【背景技術】
【０００２】
従来、自動車のエンジンを冷却するための冷却装置として、熱交換用のラジエータ内をポンプにより圧送された冷却水を循環させる構成が適用されている。このラジエータは自動車の走行により前方から走行風を受ける他、後方に取り付けられたラジエータファンによっても冷却される。そして、冷却水はその液温変化によって容積が適宜変化するが、この容積の変化を吸収するために、リザーブタンクが設けられている。このリザーブタンクは通常、ラジエータ又はラジエータファンを取付対象として取り付けられることが多い（例えば、特許文献１参照）。
【０００３】
しかしながら、通常リザーブタンクを取り付ける箇所はラジエータやラジエータファンを始め、エンジンを構成する種々の要素が隙間無く取り付けられており、リザーブタンクはこれら種々の要素との干渉を回避しながら限られたスペースに取り付けなければいけない。つまり取り付けの際は取付箇所の視認が行い難い状況で行われることになる。さらにリザーブタンクの組み付けの際は通常、冷却水循環用のホース等が取り付けられた状態で行わなければならない。そのため、リザーブタンク自体の取り回しも自ずと制限され、しかも視認が行い難い状況での組み付け作業が強いられる。その結果、組み付け作業が不要に慎重さを要するものとなったり、煩雑となってしまった場合には取付の際に取付対象に設けられたゴム製のブッシュ等を誤って挟み込んでしまったりといったことも起こり得る。
【先行技術文献】
【特許文献】
【０００４】
【特許文献１】特許第２９０７０１８号公報
【発明の概要】
【発明が解決しようとする課題】
【０００５】
本発明は、このような不具合に着目したものであり、組み付けを容易且つ確実に行い得るタンクの取付構造を提供することを目的としている。
【課題を解決するための手段】
【０００６】
本発明は、このような目的を達成するために、次のような手段を講じたものである。
【０００７】
すなわち本発明に係るラジエータにおけるタンクの取付構造はラジエータ近傍に設けられた取付対象に冷却水用のリザーブタンクを取り付けるためのタンクの取付構造であって、当該タンクと取付対象との間で係り合った際に所定方向の回転動作のみを許容する第一の係合部と、この第一の係合部の係り合いによる回転軌跡上に設けられ互いに凹凸係合により係り合う第二の係合部とを有し、この第二の係合部に、前記凹凸係合を案内するために前記回転軌跡に沿う方向に形成された案内面を設けたことを特徴とする。
【０００８】
このようなものであれば、第一の係合部の係合による回転動作によって自ずと第二の係合部の凹凸係合が案内される。これにより作業者は煩わしい目視等の動作を取ることなく第二の係合部の凹凸係合の動作を行うことができる。すなわち本発明によれば、組み付けを容易且つ確実に行い得るタンクの取付構造を提供することができる。
【発明の効果】
【０００９】
本発明によれば、組み付けを容易且つ確実に行い得るタンクの取付構造を提供することができる。
【図面の簡単な説明】
【００１０】
【図１】本発明の一実施形態に係る全体正面図。
【図２】同左側面図。
【図３】同実施形態に係るラジエータファンの正面図。
【図４】同平面図。
【図５】同実施形態に係るリザーブタンクの正面図。
【図６】同左側面図。
【図７】同背面図。
【図８】同底面図。
【図９】図６に係るＡ−Ａ線端面図。
【図１０】図９に係る作用説明図。
【発明を実施するための形態】
【００１１】
以下、本発明の一実施の形態について図面を参照して説明する。
【００１２】
本実施形態は、例えば車両に搭載されたラジエータ１を冷却するためのラジエータファン２に、冷却水用のリザーブタンク３を搭載する取付構造Ｘに関するものである。以下、図１乃至図１０を参照しながら、ラジエータファン２及びリザーブタンク３の構成並びにリザーブタンク３の取付構造Ｘについて説明する。なお本実施形態ではラジエータ１については既存のものを適用しているので、詳細な説明は省略する。また本明細書においては説明の便宜上、図１の通りラジエータ１を車体後方から見た図を、正面図とする。
【００１３】
ラジエータファン２は、車両の内燃機関の冷却水を放熱させるラジエータ１の背後に取り付けられるもので、前方から空気を吸引して後方に吐出することで、ラジエータ１を冷却する。なお本実施形態のラジエータファン２はエアコンディショナの冷媒冷却用のファン５を兼ねるものであっても良い。
【００１４】
ラジエータファン２は、ラジエータ１に固定されたシュラウド４と、このシュラウド４に回転可能に取り付けられたファン５と、このファン５を駆動するためのファンモータＭとを有している。ファンモータＭについては既存の種々の構成を適用し得るため、本実施形態における詳細な説明を省略する。
【００１５】
ファン５は、複数の羽根５１と、前記複数の羽根５１の基端部同士を連続させつつファンモータＭ側に固定されるボス部とを一体に有したものである。ボス部は、中央に形成された回転軸の位置でファンモータＭの駆動軸に固着されるとともに、モータの外周を被うべく後方に円筒状に突出したものである。羽根５１は、本実施形態ではボス部に互いに７２°毎に角度位相を異ならせて五枚設けられている。この羽根５１は、ボス部に対して傾斜方向に立ち上がり且つ湾曲面を形成している。これにより、前方たる背面側から空気を吸引して後方たる正面側に吐出する。
【００１６】
シュラウド４は、ラジエータ１に適宜取り付けられたフレーム４１と、このフレーム４１の略中央に設けられた開口４２と、この開口４２の縁部において後方に向けて筒状に突設させた筒状部４３と、開口４２の前側周囲六箇所から開口４２の中心に向けて帯状に延びるファンステー４４と、このファンステー４４の先端側に設けられ、ファン５やファンモータＭを回転可能に支持するためのファン支持部４５とを有している。
【００１７】
しかして本実施形態に係るタンクたるリザーブタンク３の取付構造Ｘは、当該リザーブタンク３の構成及び上記シュラウド４の筒状部４３の構成を利用して実現してなる。具体的には本実施形態に係るタンクの取付構造Ｘは、当該タンクと取付対象たるシュラウド４との間で係り合った際に所定方向の回転動作のみを許容する第一の係合部Ｘ１と、この第一の係合部Ｘ１の係り合いによる回転軌跡上に設けられ互いに凹凸係合により係り合う第二の係合部Ｘ２とを有し、この第二の係合部Ｘ２に、前記凹凸係合を案内するために前記回転軌跡に沿う方向に形成された案内面４９ｃ、６２ｂを設けたことを特徴とする。
【００１８】
以下、本実施形態の取付構造Ｘを構成するシュラウド４の筒状部４３及びリザーブタンク３の具体的な構成について説明する。
【００１９】
筒状部４３は、フレーム４１から開口４２の縁部に沿って車体後方へ向かって板金を延出するよう板金素材を形成したものである。この筒状部４３は正面視左側の概略立面部分に第一開口４８を有する下台座部４６を形成するとともに、正面視略中央の概略上向面部分に第二開口４９を有する上台座部４７を設けている。そして下台座部４６に設けられた第一開口４８は、板金素材を上向き四角形状に設けられた第一角穴４８ａと、この第一角穴４８ａに嵌め込まれたゴム製の第一ブッシュ４８ｂとを有している。そしてこの第一ブッシュ４８ｂには、概略上向きすり鉢状に形成されたテーパ面４８ｃが形成されている。また第一角穴４８ａは前後方向が長手方向である長穴であるため、第一ブッシュ４８ｂもまた同様に前後方向に長手方向を有する形状をなす。上台座部４７に設けられた第二開口４９は、板金素材を上向き四角形状に開口させた第二角穴４９ａと、この第二角穴４９ａに嵌め込まれたゴム製の第二ブッシュ４９ｂとを有している。第二角穴４９ａは第一角穴４８ａとは異なり、横方向が長手方向である長穴形状をなす。これにより、第二ブッシュ４９ｂも自ずと横方向が長手方向となる。この第二ブッシュ４９ｂにはリザーブタンク３の回転動作を案内するための案内面４９ｃが形成されている。
【００２０】
リザーブタンク３は、冷却水を貯めるための硬質樹脂製のタンク本体６と、このタンク本体６から冷却水をラジエータ１に導くための例えば合成ゴム製のゴムホース７と、タンク本体６をラジエータ１側に固定するため当該タンク本体６に一体に形成された取付部８とを有している。そしてタンク本体６は、その底面側に、それぞれ高さが異なる第一突起６１及び第二突起６２とを有している。第一突起６１は、平面視前後方向に延びる概略長円状をなす突起本体６１ａと、この突起本体６１ａの先端側においてアール状に形成された差込面６１ｂと、突起本体６１ａの基端側に形成され第一ブッシュ４８ｂのテーパ面４８ｃに密着し得る湾曲形状をなす位置決め面６１ｃとを有している。第二突起６２は、平面視横方向に延びる概略長円状をなう突起本体６２ａと、この突起本体６２ａの先端側において第一突起６１に近づくにつれて上方へ傾斜しながら湾曲させて設けられた回転案内面と、突起本体６２ａの基端側において第二ブッシュ４９ｂの案内面４９ｃに密着し得る位置決め面６２ｃとを有している。
【００２１】
ここで、本実施形態に係る取付構造Ｘは、前記第一開口４８と前記第一突起６１とにより、係合時に所定の回転方向にタンク本体６が動作するのを許容する第一の係合部Ｘ１を構成している。そして前記第二開口４９と前記第二突起６２とにより、第一の係合部Ｘ１の係り合いによる回転軌跡上に設けられ互いに凹凸係合により係り合う第二の係合部Ｘ２を構成するとともに、この第二の係合部Ｘ２に、前記凹凸係合を案内するために前記回転軌跡に沿う方向に形成された案内面である回転案内面６２ｃ及び第二開口４９の案内面４９ｃとを設けている。
【００２２】
次に本実施形態に係る取付構造Ｘを利用したリザーブタンク３の取付動作について、図９及び図１０を参照しながら説明する。
【００２３】
図１０ではまず作業者は下台座部４６に設けられた第一開口４８を目視しながらこの第一開口４８に第一突起６１が嵌るようにタンク本体６を組み付ける。このとき、多少第一突起６１の位置ずれが起こったとしても第一ブッシュ４８ｂのテーパ面４８ｃと第一突起６１の差し込み面とが互いに案内し合うので、第一突起６１はスムーズに案内される。ここで第一突起６１の突起本体６１ａは前後方向に長手方向を有するため、この状態では前後方向を軸心方向とした横方向への回転のみが許容される。換言すれば第一突起６１は回転する軸心方向に延びる形状をなし、テーパ面４８ｃは回転動作の軌跡に対し垂直方向に面する形状をなしている。
【００２４】
そして第一開口４８及び第一突起６１からなる第一の係合部Ｘ１を係合させた状態で、回転動作により第二の係合部Ｘ２を凹凸係合させる。ここで第二突起６２の回転案内面６２ｃは上記回転動作の軌跡に平行となるように傾斜させて設けられたアール面であるため、同じく第二ブッシュ４９ｂの案内面とともに互いに案内されながら、図９に示すように正確な相対位置へと近づいてゆく。そして図９に示される通り、第一突起６１の位置決め面６１ｃ、第二突起６２の位置決め面６２ｃはそれぞれ第一ブッシュ４８ｂのテーパ面４８ｃ、第二ブッシュ４９ｂの案内面に密着することとなり、確実な組み付けが実現される。加えて、第一突起６１は前後方向に延びる形状をなして特にタンク本体６の前後方向への位置ずれを禁止し得る。第二突起６２は横方向に延びる形状をなしているのでタンク本体６の横方向への位置ずれを禁止し得る。つまり、図１、図２及び図９に示す状態では、タンク本体６はシュラウド４に対して何れの方向の動作も禁止された確実な取付状体が実現されている。
【００２５】
またこのように第一の係合部Ｘ１、第二の係合部Ｘ２による位置決めが実現された後、別途ボルト等によりタンク本体６を筒状部４３又はラジエータ１に固定するようにしても良い。
【００２６】
以上のような構成とすることにより、本実施形態に係る取付構造Ｘは、第一の係合部Ｘ１の係合による回転動作によって自ずと第二の係合部Ｘ２の凹凸係合が案内される。これにより作業者は煩わしい目視等の動作を取ることなく第二の係合部Ｘ２の凹凸係合の動作を行うことができる。すなわち本発明によれば、組み付けを容易且つ確実に行い得るタンクの取付構造Ｘを実現している。
【００２７】
特に本実施形態では第一の係合部Ｘ１による回転動作により回転軌跡がガイドされているので、目視しなくても第二の係合部Ｘ２の組み付けが可能となっていう。
特に第二突起６２の回転案内面６２ｃは回転軌跡に沿って傾斜させ且つアールを持たせることで、回動動作による組みつけの第二ブッシュ４９ｂの咬み込みを有効に防止している。
また、第一の係合部Ｘ１及び第二の係合部Ｘ２を平面視互いに直交させることで、タンク本体６に係る前後左右の力に対し、第一の係合部Ｘ１、第二の係合部Ｘ２がそれぞれ位置決めの作用を奏し、タンク本体６の確実な位置決めを実現している。
【００２８】
以上、本発明の実施形態について説明したが、各部の具体的な構成は、上述した実施形態のみに限定されるものではなく、本発明の趣旨を逸脱しない範囲で種々変形が可能である。
【００２９】
例えば、上記実施形態ではタンク本体を筒状部に取り付ける態様を開示したが、勿論、フレームやラジエータに対して取り付けるようにしたものであってもよい。また第一の係合部及び第二の係合部はそれぞれラジエータやシュラウドに亘って設けるようにしても良い。また、上記実施形態では開口をシュラウド側に設ける態様のみを開示したが勿論、タンク本体側に開口を形成する態様としても良い。加えて上記実施形態では案内面を開口、突起の両方に設ける態様を開示したが勿論、何れか一方のみに案内面を設けるようにしても良い。またシュラウドやタンク本体の具体的な態様は上記実施形態のものに限定されることはなく、既存のものを含め、種々の態様のものを適用することができる。
【００３０】
その他、各部の具体的構成についても上記実施形態に限られるものではなく、本発明の趣旨を逸脱しない範囲で種々変形が可能である。
【産業上の利用可能性】
【００３１】
本発明はラジエータに対し冷却水用のタンクを取り付ける構造として利用することができる。
【符号の説明】
【００３２】
１…ラジエータ
３…リザーブタンク
２…取付対象（シュラウド）
４９ｃ…案内面
６２ｂ…案内面（回転案内面）
Ｘ１…第一の係合部
Ｘ２…第二の係合部
【図１】
2014070539.tif 000003
【図２】
2014070539.tif 000004
【図３】
2014070539.tif 000005
【図４】
2014070539.tif 000006
【図５】
2014070539.tif 000007
【図６】
2014070539.tif 000008
【図７】
2014070539.tif 000009
【図８】
2014070539.tif 000010
【図９】
2014070539.tif 000011
【図１０】
2014070539.tif 000012
【手続補正書】
【提出日】平成24年11月12日(2012.11.12)
【手続補正１】
【補正対象書類名】明細書
【補正対象項目名】００２０
【補正方法】変更
【補正の内容】
【００２０】
リザーブタンク３は、冷却水を貯めるための硬質樹脂製のタンク本体６と、このタンク本体６から冷却水をラジエータ１に導くための例えば合成ゴム製のゴムホース７と、タンク本体６をラジエータ１側に固定するため当該タンク本体６に一体に形成された取付部８とを有している。そしてタンク本体６は、その底面側に、それぞれ高さが異なる第一突起６１及び第二突起６２とを有している。第一突起６１は、平面視前後方向に延びる概略長円状をなす突起本体６１ａと、この突起本体６１ａの先端側においてアール状に形成された差込面６１ｂと、突起本体６１ａの基端側に形成され第一ブッシュ４８ｂのテーパ面４８ｃに密着し得る湾曲形状をなす位置決め面６１ｃとを有している。第二突起６２は、平面視横方向に延びる概略長円状をなす突起本体６２ａと、この突起本体６２ａの先端側において第一突起６１に近づくにつれて上方へ傾斜しながら湾曲させて設けられた回転案内面と、突起本体６２ａの基端側において第二ブッシュ４９ｂの案内面４９ｃに密着し得る位置決め面６２ｃとを有している。
【手続補正２】
【補正対象書類名】明細書
【補正対象項目名】００２４
【補正方法】変更
【補正の内容】
【００２４】
そして第一開口４８及び第一突起６１からなる第一の係合部Ｘ１を係合させた状態で、回転動作により第二の係合部Ｘ２を凹凸係合させる。ここで第二突起６２の回転案内面６２ｃは上記回転動作の軌跡に平行となるように傾斜させて設けられたアール面であるため、同じく第二ブッシュ４９ｂの案内面とともに互いに案内されながら、図９に示すように正確な相対位置へと近づいてゆく。そして図９に示される通り、第一突起６１の位置決め面６１ｃ、第二突起６２の位置決め面６２ｃはそれぞれ第一ブッシュ４８ｂのテーパ面４８ｃ、第二ブッシュ４９ｂの案内面に密着することとなり、確実な組み付けが実現される。加えて、第一突起６１は前後方向に延びる形状をなして特にタンク本体６の前後方向への位置ずれを禁止し得る。第二突起６２は横方向に延びる形状をなしているのでタンク本体６の横方向への位置ずれを禁止し得る。つまり、図１、図２及び図９に示す状態では、タンク本体６はシュラウド４に対して何れの方向の動作も禁止された確実な取付状態が実現されている。
【手続補正３】
【補正対象書類名】明細書
【補正対象項目名】００２７
【補正方法】変更
【補正の内容】
【００２７】
特に本実施形態では第一の係合部Ｘ１による回転動作により回転軌跡がガイドされているので、目視しなくても第二の係合部Ｘ２の組み付けが可能となっている。特に第二突起６２の回転案内面６２ｃは回転軌跡に沿って傾斜させ且つアールを持たせることで、回動動作による組みつけの第二ブッシュ４９ｂの咬み込みを有効に防止している。また、第一の係合部Ｘ１及び第二の係合部Ｘ２を平面視互いに直交させることで、タンク本体６に係る前後左右の力に対し、第一の係合部Ｘ１、第二の係合部Ｘ２がそれぞれ位置決めの作用を奏し、タンク本体６の確実な位置決めを実現している。
【手続補正４】
【補正対象書類名】図面
【補正対象項目名】全図
【補正方法】変更
【補正の内容】
【図１】
2014070539.tif 000013
【図２】
2014070539.tif 000014
【図３】
2014070539.tif 000015
【図４】
2014070539.tif 000016
【図５】
2014070539.tif 000017
【図６】
2014070539.tif 000018
【図７】
2014070539.tif 000019
【図８】
2014070539.tif 000020
【図９】
2014070539.tif 000021
【図１０】
2014070539.tif 000022